(57)【特許請求の範囲】
【請求項１】
互いに第１のミシン目で区切られた第１の印刷領域及び第２の印刷領域がフィード方向に隣接して配置されており、
各前記印刷領域の中には、互いに第２のミシン目で区切られた第１の部分印刷領域と第２の部分印刷領域とが隣接して配置されており、
第１の部分印刷領域の色と第２の部分印刷領域の色とが異なり、
各前記印刷領域の中には第３の部分印刷領域がさらに配置されており、
前記第２の部分印刷領域と前記第３の部分印刷領域とは互いに第３のミシン目で区切られており、
前記第２のミシン目と前記第３のミシン目の強度が異なる、印刷用紙。
【請求項２】
前記第２のミシン目又は前記第３のミシン目の強度は、前記第１のミシン目の強度よりも強い、請求項１に記載の印刷用紙。
【請求項３】
前記第２のミシン目又は前記第３のミシン目の強度は、前記第１のミシン目の強度よりも弱い、請求項１に記載の印刷用紙。
【請求項４】
互いに第１のミシン目で区切られた第１の印刷領域及び第２の印刷領域がフィード方向に隣接して配置されており、
各前記印刷領域の中には、互いに第２のミシン目で区切られた第１の部分印刷領域と第２の部分印刷領域とが隣接して配置されており、
第１の部分印刷領域の色と第２の部分印刷領域の色とが異なり、
各前記印刷領域に印字される情報には、第３者に秘密にすべき情報である秘密情報が含まれ、
フィード方向において、前記印刷領域の開始位置と前記印刷領域内で前記秘密情報の印字が開始される位置との距離は第１の所定長であり、
当該印刷用紙においてフィード方向の終端部分に設けられている余白領域のフィード方向の長さは前記第１の所定長以下である、印刷用紙。
【請求項５】
前記秘密情報は、プライバシー情報又は個人情報である、請求項４に記載の印刷用紙。
【発明の詳細な説明】
【技術分野】
【０００１】
本発明は印刷用紙及び印刷用紙を扱う情報処理装置に関する。
【背景技術】
【０００２】
近年、用途に合わせた多様な印刷用紙が開発されている。例えば特許文献１は、台紙から剥離可能なシートを繰り返し有するロール紙を開示している。
【先行技術文献】
【特許文献】
【０００３】
【特許文献１】特開２００１−７１５７４号公報
【発明の概要】
【発明が解決しようとする課題】
【０００４】
関連性のある複数の情報が、切り離し可能な複数の領域を持つ１つの印刷用紙に印刷される場合がある。例えば納付書と領収書は、納付前はセットで保持されて納付時に切り離されるため、切り離し可能な複数の領域を持つ１つの印刷用紙に印刷されうる。
【０００５】
このような関連性のある複数の情報は、一見して区別しづらい場合がある。そのためこれらの情報を切り離し可能な複数の領域を持つ１つの印刷用紙に印刷すると、各情報がどの領域に印刷されているのかが把握しづらい。
【０００６】
本発明は、上記の課題に鑑みてなされたものである。本発明の目的は、扱いが容易な印刷用紙を提供することである。
【課題を解決するための手段】
【０００７】
本発明の第１の印刷用紙は、１）互いに第１のミシン目で区切られた第１の印刷領域及び第２の印刷領域がフィード方向に隣接して配置されており、２）前記印刷領域の中には、互いに第２のミシン目で区切られた第１の部分印刷領域と第２の部分印刷領域とが隣接して配置されており、３）第１の部分印刷領域の色と第２の部分印刷領域の色とが異なり、４）各前記印刷領域の中には第３の部分印刷領域がさらに配置されており、５）前記第２の部分印刷領域と前記第３の部分印刷領域とは互いに第３のミシン目で区切られており、６）前記第２のミシン目と前記第３のミシン目の強度が異なる。
本発明の第２の印刷用紙は、１）互いに第１のミシン目で区切られた第１の印刷領域及び第２の印刷領域がフィード方向に隣接して配置されており、２）前記印刷領域の中には、互いに第２のミシン目で区切られた第１の部分印刷領域と第２の部分印刷領域とが隣接して配置されており、３）第１の部分印刷領域の色と第２の部分印刷領域の色とが異なり、４）各前記印刷領域に印字される情報には、第３者に秘密にすべき情報である秘密情報が含まれ、５）フィード方向において、前記印刷領域の開始位置と前記印刷領域内で前記秘密情報の印字が開始される位置との距離は第１の所定長であり、６）当該印刷用紙においてフィード方向の終端部分に設けられている余白領域のフィード方向の長さは前記第１の所定長以下である。
【発明の効果】
【００１０】
本発明によれば、扱いが容易な印刷用紙が提供される。
【図面の簡単な説明】
【００１１】
【図１】実施形態１に係る印刷用紙を例示する図である。
【図２】ロール紙として作成された印刷用紙を例示する図である。
【図３】印刷用紙に設けられたミシン目を拡大した様子を例示する図である。
【図４】実施形態２に係る印刷用紙を例示する図である。
【図５】印刷用紙の終端の余白領域を例示する図である。
【図６】実施形態４に係る情報処理装置を例示するブロック図である。
【図７】情報処理装置を実現する計算機の斜視図である。
【図８】プリンタの内部構成を例示する図である。
【図９】計算機の内部構成を例示する図である。
【図１０】実施形態４の情報処理装置によって実行される処理の流れを例示するフローチャートである。
【図１１】第１表示制御部によって表示される入力画面を例示する図である。
【図１２】実施形態５の情報処理装置を例示するブロック図である。
【図１３】実施形態６に係る情報処理装置を例示するブロック図である。
【図１４】第２表示制御部によって表示される確認画面を例示する図である。
【図１５】実施例の情報処理装置を用いて行われる業務の流れを示すフローチャートである。
【図１６】情報処理装置によって表示される業務選択画面を例示する図である。
【図１７】業務Ａに対応する印刷用紙の構成を表す図である。
【図１８】情報が印刷された印刷領域を例示する第１の図である。
【図１９】情報が印刷された印刷領域を例示する第２の図である。
【図２０】情報が印刷された印刷領域を例示する第３の図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
［実施形態１］
図１は、実施形態１に係る印刷用紙１０を例示する図である。印刷用紙１０は、フィード方向に印刷領域１２を繰り返し有する。フィード方向とは、印刷用紙１０に情報を印字する際にプリンタが印刷用紙１０をフィードする方向である。各印刷領域１２の間は第１ミシン目１８で区切られている。
【００１４】
印刷領域１２は、第１部分印刷領域１４及び第２部分印刷領域１６を有する。第１部分印刷領域１４と第２部分印刷領域１６との間は、第２ミシン目２０で区切られている。そして、第１部分印刷領域１４の色と第２部分印刷領域１６の色は、異なる色である。例えば第１部分印刷領域１４の色は青であり、第２部分印刷領域１６の色は白である。なお、第１部分印刷領域１４の裏側の色と第２部分印刷領域１６の裏側の色は、同じであってもよいし、異なっていてもよい。
【００１５】
運用の際、印刷用紙１０は、例えばロール状に巻かれたロール紙として用いられる。図２は、ロール紙として作成された印刷用紙１０を例示する図である。
【００１６】
第１ミシン目１８と第２ミシン目２０の強度は、同じであってもよいし、異なってもよい。ここでミシン目の強度は、ミシン目で切り離す際に要する力の大きさを意味する。ミシン目の強度が強いほど、ミシン目で切り離す際に要する力が大きい。
【００１７】
図３は印刷用紙１０に設けられたミシン目を拡大した様子を例示する図である。ミシン目の強度は、例えば開口３０の幅を小さくする（連結部３２の幅を大きくする）ことで強くすることができる。反対に、ミシン目の強度は、例えば開口３０の幅を大きくする（連結部３２の幅を小さくする）ことで弱くすることができる。
【００１８】
＜作用・効果＞
関連性のある複数の情報が１つの印刷用紙に印刷される場合がある。例えば、納付書と領収書は１つの印刷用紙に印刷されうる。また例えば交通違反に関する情報には、交通違反を行った者に渡す情報と、交通違反を取り締まった者が保管する情報とがあり、これらの情報は１つの印刷用紙に印刷されうる。
【００１９】
印刷用紙１０は、このような関連性のある複数の情報が１つの印刷領域１２に印刷されるように利用することができる。より具体的には、印刷用紙１０は、これら関連性のある複数の情報について、第１部分印刷領域１４と第２部分印刷領域１６に対して互いに異なる情報が印刷されるように利用することができる。このようにすることで、異なる情報が異なる色を持つ領域に印刷される。よって、印刷用紙１０を利用する者は、印刷後の印刷用紙１０について、どの部分にどのような情報が印刷されているのかを、容易に把握することができる。また、第２ミシン目２０で印刷領域１２が切り離された後も、印刷用紙１０を利用する者は、切り離された各紙にどのような情報が印刷されているのかを容易に把握することができる。よって、本実施形態の印刷用紙１０には、印刷後の印刷用紙の取り扱いが容易であるという利点がある。
【００２０】
また、第１部分印刷領域１４と第２部分印刷領域１６とに印刷される互いに異なる情報を、異なる者が取得すべきである場合がある。この場合、第１部分印刷領域１４の色と第２部分印刷領域１６との色が異なるため、各人が印刷領域１２のどの部分を取得すべきであるかを容易に把握することができるという利点がある。またその利点により、各人が誤った情報を取得してしまう恐れを少なくすることができるという利点もある。
【００２１】
［実施形態２］
図４は、実施形態２に係る印刷用紙１０を例示する図である。以下で説明する点を除き、実施形態２の印刷用紙１０は実施形態１の印刷用紙１０と同様の特徴を有する。
【００２２】
実施形態２の印刷領域１２は、第１部分印刷領域１４及び第２部分印刷領域１６に加え、第３部分印刷領域２２をさらに有する。第３部分印刷領域２２の色は、第１部分印刷領域１４又は第２部分印刷領域１６と同じであってもよいし、いずれとも異なっていてもよい。
【００２３】
第２部分印刷領域１６と第３部分印刷領域２２の間は、第３ミシン目２４で区切られている。ここで、第２ミシン目２０（第１部分印刷領域１４と第２部分印刷領域１６との間の区切り）の強さと第３ミシン目２４の強さは異なる。なお、第２ミシン目２０の強さと第３ミシン目２４の強さは、どちらが強くてもよい。
【００２４】
＜作用・効果＞
１つの印刷領域１２に３つ以上の部分印刷領域が含まれ、一部の部分印刷領域を切り離した後も、他の複数の部分印刷領域については１組として保持しておく場合がある。例えば印刷領域１２に情報を印刷した際、まずは印刷領域１２を第２ミシン目２０で切り離すことで、ユーザＡが第１部分印刷領域１４を取得し、ユーザＢが第２部分印刷領域１６及び第３部分印刷領域２２を取得する。ユーザＢは、しばらくの間第２部分印刷領域１６と第３部分印刷領域２２とを１組で保管しておき、後日第３部分印刷領域２２のみをユーザＣに渡す。
【００２５】
本実施形態の印刷用紙１０は、第２ミシン目２０の強度と第３ミシン目２４の強度とが異なる。そのため、印刷領域１２の適切な位置に情報を印刷するように印刷用紙１０を運用することで、印刷してから分離させるまでの時間が長い情報を、強度が比較的強いミシン目で連結された複数の部分印刷領域に印刷させ、印刷してから分離させるまでの時間が短い情報を、強度が比較的弱いミシン目で連結された複数の部分印刷領域に印刷させることができる。こうすることで、印刷後の用紙の扱いが容易になる。例えば、しばらく切り離さずに保管すべき複数の部分印刷領域が誤って切り離されてしまうことを防ぐことができる。また、すぐに切り離すべき複数の部分印刷領域を、容易に切り離すことができる。
【００２６】
［実施形態３］
実施形態３の印刷用紙１０は、実施形態１又は２の印刷用紙１０と同様の特徴を有する。さらに、実施形態３の印刷用紙１０は、第３者に対して秘密にされるべき情報（以下、秘密情報）を含む情報の印刷に適しているという特徴を有する。例えば秘密情報は、ある人物のプライバシーに関する情報、又はある人物を特定できる個人情報である。ここでいう第３者とは、印刷用紙１０に印刷される情報の入力又は閲覧に関与しない者である。例えば、交通違反の取り締まりを受けた者に関する情報が印刷用紙１０に印刷される場合、第３者は、交通違反の取り締まりを受けた者でなく、かつその取り締まりを行った者でもない者である。
【００２７】
実施形態３の印刷用紙１０は、フィード方向の終端部分の余白領域に特徴を有する。例えば図２に示すようなロール紙は、印刷用紙を芯に巻き付けるために利用される領域であって印刷に利用されることが想定されていない余白領域がある。ただし、実施形態３の印刷用紙１０の構成方法は、ロール紙として構成する方法に限定されない。
【００２８】
図５は、印刷用紙１０の終端の余白領域を例示する図である。実施形態３の印刷用紙１０は、終端に所定の長さ Lr の余白領域を有する。この所定の長さ Lr は、印刷領域１２が尽きている印刷用紙１０に対して誤って情報の印刷を行った場合に、上記秘密情報が印刷用紙１０に印刷されないように定められている。
【００２９】
情報２７は印刷領域１２に印刷される情報である。秘密情報領域２８は、情報２７に含まれる秘密情報が印刷される領域であって、フィード方向の位置が情報２７の先頭位置に最も近い秘密情報である。秘密情報領域２８の先頭位置と印刷領域１２の先頭位置との間の長さは、フィード方向について Ls である。なお、秘密情報領域２８の先頭位置は、秘密情報を表す文字等の上端の位置であってもよいし、秘密情報を表す文字等が記載される枠の上端の位置であってもよい。
【００３０】
余白領域２６のフィード方向の長さ Lr は Ls 未満である。こうすることで、印刷領域１２が尽きている印刷用紙１０に対して誤って情報の印刷が行われた場合でも、秘密情報が印刷用紙１０に印字されない。
【００３１】
Lr と Ls が上述の関係を満たすようにするためには、印刷用紙１０の制作者は、１）情報２７の構成が予め決まっており、その構成を考慮して印刷用紙１０の構成を決定するか、２）予め印刷用紙１０の構成が決まっており、その構成を考慮して情報２７の構成を決定するか、又は３）印刷用紙１０と情報２７の構成を同時に決定する。１）の場合、例えば印刷用紙１０の制作者は、印刷用紙１０に印刷する情報２７の構成に関する情報を入手して、この情報に基づいて印刷用紙１０の構成を決定する。２）の場合、例えば情報２７の構成を決定する者（例えば情報２７を出力するソフトウエアの制作者）は、印刷用紙１０の構成に関する情報を入手して、情報２７の構成を決定する。
【００３２】
＜作用・効果＞
印刷用紙の終端にある余白領域に誤って情報が印刷されてしまった場合でも、印刷用紙のユーザは、余白領域を紛失してしまったり捨ててしまったりする恐れがある。そのため、余白領域に秘密情報が印刷されてしまうと、秘密情報の紛失や漏洩のおそれがある。
【００３３】
本実施形態の印刷用紙１０によれば、秘密情報が印刷されないように余白領域２６のフィード方向の長さが定められている。よって、秘密情報の紛失や漏洩を防ぐことができる。
【００３４】
なお、印刷領域１２が尽きている印刷用紙１０に対しては印刷が行えないように、プリンタやプリンタに印刷を指示するソフトウエアを構成する方法も考えられる。しかしこれらの方法では、印刷用紙１０の残量管理を行う機能などをプリンタ等に実装する必要がある。そのため、プリンタの実装に要するハードウエアコストや、ソフトウエアの実装に要する作業コストが増加してしまう。
【００３５】
本実施形態の印刷用紙１０によれば、このようなコストの増加を防ぎつつ、秘密情報の紛失や漏洩を防ぐことができる。
【００３６】
［実施形態４］
図６は、実施形態４に係る情報処理装置２０００を例示するブロック図である。図６において、各ブロックは、ハードウエア単位の構成ではなく、機能単位の構成を表す。
【００３７】
情報処理装置２０００は、交通違反に関する情報の入力に用いられる。例えば情報の入力は、情報処理装置２０００が有するキーボード又はタッチパネルなどによって行われる。さらに、交通違反に関する情報の一部は、キーボード等を用いた手動入力ではなく、運転免許証から読みとられる情報を用いて自動的に入力される。
【００３８】
上記機能を実現するために、情報処理装置２０００は、第１表示制御部２０２０、第１操作受付部２０４０、及び読取部２０６０を有する。第１表示制御部２０２０は、交通違反に関する情報を入力する入力欄を表示する。第１操作受付部２０４０は、入力欄に対する入力操作を受け付ける。読取部２０６０は、運転免許証に設けられた記憶媒体に記憶されている情報を、運転免許証から読み取る。第１表示制御部２０２０は、読取部２０６０によって読み取られた情報を入力欄に表示する。
【００３９】
＜作用・効果＞
本実施形態によれば、交通違反に関して入力すべき情報の一部が、運転免許証から読み取られた情報を用いて自動的に入力される。よって、情報の入力の手間を削減したり、手動入力に伴う入力ミスの発生を防ぐことができる。
【００４０】
以下、本実施形態についてさらに詳細を述べる。
【００４１】
＜情報処理装置２０００を実現するハードウエアの例＞
情報処理装置２０００の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。
【００４２】
情報処理装置２０００は、種々の計算機によって実現される。ここで、この計算機は、情報処理装置２０００を実現するために専用に設計された計算機であってもよいし、スマートフォン若しくはタブレットなどの携帯端末、PC（Personal Computer）、又はサーバなどの汎用計算機であってもよい。
【００４３】
＜＜情報処理装置２０００を実現する計算機の例＞＞
図７は、情報処理装置２０００を実現する計算機１００の斜視図である。計算機１００は、タッチパネル１３０、リーダ１４０、及びプリンタ１５０を有している。タッチパネル１３０は、情報の入力及び表示に用いられるタッチパネルである。リーダ１４０は、運転免許証に格納されている情報を読み取るためのリーダである。例えばリーダ１４０は、Integrated Circuit（IC）チップから情報を読み取る IC カードリーダである。プリンタ１５０は、種々の情報を印刷するためのプリンタである。プリンタ１５０には、例えば実施形態１から３のいずれかの印刷用紙１０がセットされる。ただし、プリンタ１５０にセットされる印刷用紙は、印刷用紙１０に限定されない。
【００４４】
図８は、プリンタ１５０の内部構成を例示する図である。プリンタ１５０は、プリンタヘッド１５２及びヘッド制御部１５４を有する。プリンタヘッド１５２は、ヘッド制御部１５４によって制御されることにより、印刷用紙１０へ印字を行う。プリンタ１５０には、ロール紙として構成された印刷用紙１０がセットされる。
【００４５】
図９は、計算機１００の内部構成を例示する図である。計算機１００は、バス１０２、プロセッサ１０４、メモリ１０６、ストレージ１０８、及び入出力インタフェース１１０を有する。バス１０２は、プロセッサ１０４、メモリ１０６、及びストレージ１０８が、相互にデータを送受信するためのデータ伝送路である。ただし、プロセッサ１０４などを互いに接続する方法は、バス接続に限定されない。プロセッサ１０４は、CPU (Central Processing Unit) や GPU (Graphics Processing Unit) などの演算処理装置である。メモリ１０６は、RAM (Random Access Memory) や ROM (Read Only Memory) などのメモリである。ストレージ１０８は、ハードディスク、SSD (Solid State Drive)、又はメモリカードなどの記憶装置である。また、ストレージ１０８は、RAM や ROM などのメモリであってもよい。
【００４６】
入出力インタフェース１１０は、計算機１００と入出力デバイスとを接続するためのインタフェースである。図９では、入出力インタフェース１１０に、タッチパネル１３０、リーダ１４０、及びプリンタ１５０が接続されている。
【００４７】
ストレージ１０８は情報処理装置２０００の各機能を実現するプログラムモジュールを記憶している。プロセッサ１０４は、これら各プログラムモジュールを実行することで、そのプログラムモジュールに対応する各機能を実現する。ここでプロセッサ１０４は、上記各モジュールを実行する際、これらのモジュールをメモリ１０６上に読み出してから実行してもよいし、メモリ１０６上に読み出さずに実行してもよい。
【００４８】
計算機１００のハードウエア構成は図９に示した構成に限定されない。例えば、各プログラムモジュールはメモリ１０６に格納されてもよい。この場合、計算機１００は、ストレージ１０８を備えていなくてもよい。
【００４９】
＜処理の流れ＞
図１０は、実施形態４の情報処理装置２０００によって実行される処理の流れを例示するフローチャートである。第１表示制御部２０２０は交通違反に関する情報を入力する入力欄を表示画面に表示する（Ｓ１０２）。第１操作受付部２０４０は、上記入力欄に対する入力操作を受け付ける（Ｓ１０４）。読取部２０６０は、運転免許証に設けられている記憶装置から情報を読み取る（Ｓ１０６）。第１表示制御部２０２０は、読取部２０６０によって読み取られた情報を、対応する入力欄に表示する（Ｓ１０８）。
【００５０】
＜第１操作受付部２０４０の詳細＞
第１操作受付部２０４０は、上記入力欄に対する入力操作を受け付ける（Ｓ１０４）。入力操作は、キーボード、マウス、又はタッチパネルなどの種々の入力デバイスを用いて行われる。
【００５１】
＜読取部２０６０の詳細＞
読取部２０６０は、運転免許証に設けられている記憶装置から情報を読み取る（Ｓ１０６）。ここで、運転免許証は、車やバイクなど、種々の乗り物を運転する資格を証明する免許証である。例えば運転免許証には IC チップが設けられる。この IC チップには、運転免許証に関する情報（免許証番号など）や運転免許証保有者に関する情報（氏名、生年月日又は住所など）が記憶される。そこで読取部２０６０は、この IC チップから運転免許証に関する情報や運転免許証保有者に関する情報を読み取る。
【００５２】
＜第１表示制御部２０２０の詳細＞
第１表示制御部２０２０は交通違反に関する情報を入力する入力欄を表示画面に表示する（Ｓ１０２）。入力欄は、テキストボックス、ラジオボックス、チェックボックス、又はドロップダウンリストなど、種々の入力用のコンポーネントである。
【００５３】
図１１は、第１表示制御部２０２０によって表示される入力画面を例示する図である。違反情報入力画面４０は、交通違反に関する情報を入力するための入力画面である。違反情報入力画面４０には、交通違反をした者に関する情報や、違反が起こった場所などを入力する入力欄が設けられている。ここで、違反情報入力画面４０は、例えばタッチパネル１３０に表示される。
【００５４】
第１表示制御部２０２０が表示すべき情報は、情報処理装置２０００の内部又は外部に設けられる記憶装置に予め記憶されている。情報処理装置２０００の内部に設けられる記憶装置は、例えば前述したストレージ１０８である。情報処理装置２０００の外部に設けられる記憶装置は、例えば Web サーバなどのサーバ装置である。情報処理装置２０００は、ネットワークを介してサーバ装置にアクセスすることにより、タッチパネル１３０に表示すべき情報を取得する。この場合、情報処理装置２０００を実現する計算機１００は、ネットワークを介して情報をやりとりするためのネットワークインタフェースを有する。
【００５５】
また、第１表示制御部２０２０は、読取部２０６０によって読み取られた情報を、対応する入力欄に表示する（Ｓ１０８）。第１表示制御部２０２０が前述した違反情報入力画面４０をタッチパネル１３０に表示する場合、第１表示制御部２０２０は、例えば入力欄群４２に対し、運転免許証から読み取られた情報を表示する。また、情報処理装置２０００は、運転免許証から読み取られた情報を、上記対応する各入力欄に対して入力された情報として扱う。
【００５６】
［実施形態５］
図１２は、実施形態５の情報処理装置２０００を例示するブロック図である。図１２において、各ブロックは、ハードウエア単位の構成ではなく、機能単位の構成を表す。
【００５７】
実施形態５の情報処理装置２０００は位置情報取得部２０８０を有する。位置情報取得部２０８０は、情報処理装置２０００の位置情報を取得する。例えば位置情報は、Global Positioning System（GPS）座標を示す情報である。この場合、情報処理装置２０００は、GPS 受信機を有する。
【００５８】
第１表示制御部２０２０は、位置情報取得部２０８０によって取得された位置情報に対応する住所を、交通違反に関する情報の入力欄に表示する。例えばこの入力欄は、交通違反が起こった場所の住所を入力するための入力欄である。図１１に示す違反情報入力画面４０の場合、この入力欄は入力欄４４である。
【００５９】
ここで、位置情報と住所との対応付けは予め定められているものとする。位置情報と住所との対応付けを示す情報は、情報処理装置２０００の外部の装置（例えば地図に関する情報のデータベースサーバ）に記憶されていてもよいし、情報処理装置２０００の内部の記憶装置（例えばストレージ１０８）に記憶されていてもよい。
【００６０】
＜ハードウエア構成例＞
実施形態５の情報処理装置２０００は、実施形態４の情報処理装置２０００と同様に、例えば計算機１００によって実現される。実施形態５の計算機１００が有するストレージ１０８は、本実施形態の情報処理装置２０００が有する各機能を実現するためのプログラムモジュールをさらに有する。
【００６１】
さらに、情報処理装置２０００は、情報処理装置２０００の位置情報を取得するためのハードウエアを有する。例えば情報処理装置２０００は、前述した GPS 受信機を有する。
【００６２】
また、情報処理装置２０００が位置情報と住所とを対応付けた情報を情報処理装置２０００の外部から取得する場合、例えば計算機１００は、計算機１００の外部の装置とネットワークを介して通信するためのネットワークインタフェースを有する。
【００６３】
＜作用・効果＞
本実施形態の情報処理装置２０００によれば、情報処理装置２０００の位置に対応する住所が自動的に入力欄に表示される。よって、情報処理装置２０００のユーザが現在位置に対応する住所を調べて手動で入力しなくてもよいため、ユーザによる入力の手間が軽減され、かつ入力ミスの発生を防ぐことができる。
【００６４】
［実施形態６］
図１３は、実施形態６に係る情報処理装置２０００を例示するブロック図である。図１３において、各ブロックは、ハードウエア単位の構成ではなく、機能単位の構成を表す。
【００６５】
実施形態６の情報処理装置２０００は、プリンタを制御し、前述した入力欄に入力された情報を印刷用紙に出力する。そのために、実施形態６の情報処理装置２０００は、印刷制御部２１００、第２操作受付部２１２０、及び第２表示制御部２１４０を有する。
【００６６】
印刷制御部２１００はプリンタに情報を印刷させる。印刷制御部２１００によって制御されるプリンタは、幅が同一で種類が異なる複数の種類の印刷用紙のいずれか１つを印字先にできる。例えば、印刷制御部２１００によって制御されるプリンタには、ロール紙を１つセットできるものとする。この場合、プリンタにセットできるロール紙として、幅が同一で種類が異なるロール紙が複数用意されているとする。情報処理装置２０００のユーザは、これら複数用意されているロール紙の中の１つをプリンタにセットする。これにより、セットされたロール紙に対して印刷が行われる。
【００６７】
例えば印刷制御部２１００によって制御されるプリンタには、実施形態１から３のいずれかで説明した印刷用紙１０がセットされる。この場合、例えば用意される複数種類の印刷用紙は、互いに第１部分印刷領域１４、第２部分印刷領域１６又は第３部分印刷領域２２の色や大きさが異なる印刷用紙であったり、第１ミシン目１８、第２ミシン目２０又は第３ミシン目２４の強度が異なったりする。ただし、利用される印刷用紙は、印刷用紙１０の特徴を有する印刷用紙に限定されない。
【００６８】
情報処理装置２０００がプリンタに印刷させる情報の１つとして、交通違反に関する情報がある。交通違反に関する情報の印刷先とすべき印刷用紙の種類は、その他の情報の印刷先とすべき印刷用紙の種類と異なっている。例えば交通違反に関する情報の印刷先とすべき印刷用紙は、実施形態１から３いずれかの印刷用紙１０である。
【００６９】
なお、印刷制御部２１００によって制御されるプリンタは、情報処理装置２０００を実現する計算機と一体として実装されていてもよいし（図７参照）、情報処理装置２０００を実現する計算機とは別体として実装されていてもよい。
【００７０】
第２操作受付部２１２０は、交通違反に関する情報の印刷を指示する操作を受け付ける。この操作は、タッチパネル１３０に対するタッチ入力や、キーボードやマウスなどを用いて行われる入力操作である。
【００７１】
ここで、第２表示制御部２１４０は、第２操作受付部２１２０が操作を受け付けた後、印刷制御部２１００が実行される前（交通違反に関する情報の印刷が開始される前）に、交通違反に関する情報の印刷先とすべき印刷用紙の種類を表示する。
【００７２】
図１４は、第２表示制御部２１４０によって表示される確認画面５０を例示する図である。確認画面５０は、使用すべき印刷用紙がプリンタにセットされているかどうかをユーザに確認させる画面である。確認画面５０には、確認メッセージ５２及びイメージ図５４が表示されている。確認メッセージ５２は、セットすべき印刷用紙の種類の名称を含む確認メッセージである。イメージ図５４は、セットすべき印刷用紙の特徴を表す図である。例えばセットすべき印刷用紙が印刷用紙１０のように、色が異なる領域を複数有する印刷用紙であれば、印刷用紙上の色の配置を見ることで、ユーザはセットすべき印刷用紙がどの印刷用紙であるかを容易に認識できることができる。
【００７３】
図１４の例では、ユーザによってＯＫボタン５６が押下されると、印刷制御部２１００が実行される。その結果、プリンタ１５０によって交通違反に関する情報の印刷が行われる。確認画面５０が表示された際、プリンタ１５０に印刷用紙がセットされていない場合やプリンタ１５０に誤った印刷用紙がセットされている場合、ユーザは、正しい印刷用紙をプリンタ１５０にセットした後、ＯＫボタン５６を押下する。
【００７４】
ここで、交通違反に関する情報の印刷に用いるべき印刷用紙に関する情報（印刷用紙の種類の名称や印刷用紙の特徴を表す絵など）は、情報処理装置２０００の内部又は外部の記憶装置に予め記憶されているものとする。
【００７５】
＜ハードウエア構成例＞
実施形態６の情報処理装置２０００は、例えば実施形態４の情報処理装置２０００と同様に、計算機１００を用いて実装される。実施形態６の計算機１００が有するストレージ１０８は、本実施形態の情報処理装置２０００が有する各機能を実現するためのプログラムモジュールをさらに有する。
【００７６】
＜作用効果＞
前述したように、情報処理装置２０００が扱うプリンタにセット可能な複数の種類の印刷用紙は、幅が同一であるものの種類が異なる。そのため、誤った印刷用紙をプリンタにセットしてしまう恐れがあり、その結果、誤った用紙に情報が印刷されてしまう恐れがある。
【００７７】
ここで、既存のプリンタには、A4 や B4 といった異なる種類の印刷用紙がそれぞれ異なるトレイにセットされており、印刷対象の用紙の残量がゼロになっている場合に警告を行う機能を有するものがある。しかしこの機能では、本実施形態の情報処理装置２０００のように異なる種類の印刷用紙が同一の箇所にセットされる構成のプリンタにおいて、印刷用紙が誤ってセットされることを防ぐことはできない。
【００７８】
またその他にも、既存のプリンタには、プリンタに設けられているトレイが１つであり、印刷対象の用紙とそのトレイにセットされている印刷用紙とが異なる場合に警告を行う機能を有するものがある。しかしこの機能は、印刷用紙の種類ごとに幅が異なることを前提にしており、印刷用紙の幅に基づいて、セットされている印刷用紙が正しいか否かを判定している。よってこの機能では、幅が同一で種類が異なる複数の印刷用紙を互いに区別することはできず、情報処理装置２０００が扱うプリンタにおいて印刷用紙が誤ってセットされることを防ぐことはできない。
【００７９】
これに対し、本実施形態の情報処理装置２０００は、このように幅が同一で種類が異なる印刷用紙を扱うプリンタにおいて印刷を行う前に、セットされている印刷用紙が正しい印刷用紙であるか否かの確認が行われる。よって、誤った種類の印刷用紙に情報が印刷されてしまうことを防ぐことができる。
【００８０】
なお、本実施形態では、印刷対象の情報を、交通違反に関する情報としている。しかし、本実施形態の情報処理装置２０００が有する、印刷の実行前に印刷用紙の確認を行う機能は、交通違反に関する情報以外を対象とすることもできる。
【００８１】
［実施例］
以下、前述した各実施形態における印刷用紙１０及び情報処理装置２０００を用いた具体的な業務を実施例として説明する。
【００８２】
実施例の情報処理装置２０００は、互いに異なる業務Ａ、Ｂ、及びＣそれぞれに用いることができる。業務Ａ、Ｂ、及びＣでは、ユーザによって入力される情報、及び情報処理装置２０００によって印刷される情報が異なる。また、情報を印刷すべき印刷用紙の種類は、業務毎に異なる。業務Ａ、Ｂ、及びＣはそれぞれ、交通違反に関する情報の入力、駐車違反に関する情報の入力、及び交通事故に関する情報の入力である。
【００８３】
図１５は、実施例の情報処理装置２０００を用いて行われる業務の流れを示すフローチャートである。ユーザは、情報処理装置２０００を操作して、実行する業務の選択を行う（Ｓ２０２）。図１６は、情報処理装置２０００によって表示される業務選択画面を例示する図である。例えばユーザが業務Ａを選択したとする。ここで、業務Ａは交通違反に関する情報の入力である。そのため、第１表示制御部２０２０は、違反情報入力画面４０（図１１参照）を表示する。
【００８４】
ユーザは、情報処理装置２０００の第１表示制御部２０２０によって表示された各入力欄に対して入力を行う（Ｓ２０４）。ここで、情報の入力は、１）ユーザによる手動入力、２）運転免許証から読みとった情報の自動入力、及び３）情報処理装置２０００の位置情報に対応する住所の自動入力を含む。ユーザは、情報処理装置２０００のリーダ１４０に、違反者の運転免許証を読み取らせる。その結果、違反者に関する情報（氏名など）や運転免許証に関する情報などが、入力欄群４２に自動で表示される。さらに、位置情報取得部２０８０によって取得された GPS 座標に対応する住所が、入力欄４４に自動で表示される。さらにユーザが、残りの入力欄に手動で情報を入力する。
【００８５】
情報の入力を終えた後、ユーザは、情報処理装置２０００に対して印刷指示を行う（Ｓ２０６）。例えばユーザは、違反情報入力画面４０に表示される印刷ボタン（図示せず）を押下することで、印刷指示を行う。
【００８６】
情報処理装置２０００の第２表示制御部２１４０は、印刷用紙の種類を確認する確認画面５０を表示する（Ｓ２０８）。正しい印刷用紙がセットされていたら、ユーザはＯＫボタン５６を押下する。一方、誤った印刷用紙がセットされている場合や、印刷用紙がセットされていない場合、ユーザは、正しい印刷用紙をプリンタ１５０にセットした後、ＯＫボタン５６を押下する。
【００８７】
ＯＫボタン５６の押下によって正しい印刷用紙であることがユーザによって確認されたら、印刷制御部２１００がプリンタを制御して印刷用紙に情報を印刷させる（Ｓ２１０）。
【００８８】
図１７は、業務Ａ（交通違反に関する情報の入力）に対応する印刷用紙６０の構成を表す図である。印刷用紙６０の印刷領域６１は、青色の部分印刷領域６２−ａ、及び白色の部分印刷領域６２−ｂから６２−ｅを有する。ミシン目６４−ａから６４−ｃは互いに同じ強度である。ミシン目６６−ａとミシン目６６−ｂも互いに同じ強度である。ただし、各ミシン目６６の強度は、各ミシン目６４の強度よりも強い。つまり、ミシン目６６はミシン目６４よりも切れにくい。
【００８９】
図１８から図２０は、情報が印刷された印刷領域６１を例示する図である。図１８に示す印刷結果７０−ａは、部分印刷領域６２−ａに印刷された情報を示す。印刷結果７０−ａは、交通違反に関する情報を示しており、違反者に渡されるものである。
【００９０】
図１９に示す印刷結果７０−ｂは、部分印刷領域６２−ｂに印刷された情報を示す。印刷結果７０−ｂは、交通違反に関する情報を示しており、情報処理装置２０００のユーザが保管するものである。
【００９１】
図２０に示す印刷結果７０−ｃは、部分印刷領域６２−ｃから部分印刷領域６２−ｅに印刷された情報を示す。印刷結果７０−ｃは、違反金納付に関する書面のセットである。例えば部分印刷領域６２−ｃには納付書が印刷され、部分印刷領域６２−ｄには領収の控えが印刷され、部分印刷領域６２−ｅには通知書が印刷される。部分印刷領域６２−ｃから部分印刷領域６２−ｅは、切り離さずにセットで違反者に渡されるため、それらの間のミシン目６６は切れにくいものとなっている。
【００９２】
業務Ｂや業務Ｃを選択した場合に情報処理装置２０００によって行われる処理は、上述した業務Ａについて情報処理装置２０００が行う処理と同様である。ただし、ユーザが入力すべき情報は業務ごとに異なるため、第１表示制御部２０２０によってタッチパネル１３０に表示される情報は業務ごとに異なる。
【００９３】
また、プリンタにセットすべき印刷用紙が業務ごとに異なるため、第２表示制御部２１４０によって表示される確認画面５０に表示される用紙の種類や用紙の特徴を表す絵は、業務ごとに異なる。第２表示制御部２１４０は、ユーザがプリンタへ印刷の指示を行った際、Ｓ２０２で選択された業務に対応する印刷用紙の情報を取得する。そして、第２表示制御部２１４０は、取得した情報に対応する確認画面５０を生成してタッチパネル１３０に表示する。そのため、業務とその業務に関する情報の印刷に利用すべき印刷用紙の特徴との対応が、第２表示制御部２１４０に予め設定されているか、又は情報処理装置２０００の内部又は外部の記憶装置に予め記憶されているものとする。
【００９４】
以上、図面を参照して本発明の実施形態について述べたが、これらは本発明の例示であり、上記以外の様々な構成を採用することもできる。
上記の実施形態の一部又は全部は、以下の付記のようにも記載されうるが、以下には限られない。
１．  互いに第１のミシン目で区切られた第１の印刷領域及び第２の印刷領域がフィード方向に隣接して配置されており、
各前記印刷領域の中には、互いに第２のミシン目で区切られた第１の部分印刷領域と第２の部分印刷領域とが隣接して配置されており、
第１の部分印刷領域の色と第２の部分印刷領域の色とが異なる印刷用紙。
２．  各前記印刷領域の中には第３の部分印刷領域がさらに配置されており、
前記第２の部分印刷領域と前記第３の部分印刷領域とは互いに第３のミシン目で区切られており、
前記第２のミシン目と前記第３のミシン目の強度が異なる１．に記載の印刷用紙。
３．  前記第２のミシン目又は前記第３のミシン目の強度は、前記第１のミシン目の強度よりも強い、２．に記載の印刷用紙。
４．  前記第２のミシン目又は前記第３のミシン目の強度は、前記第１のミシン目の強度よりも弱い、２．に記載の印刷用紙。
５．  各前記印刷領域に印字される情報には、第３者に秘密にすべき情報である秘密情報が含まれ、
フィード方向において、前記印刷領域の開始位置と前記印刷領域内で前記秘密情報の印字が開始される位置との距離は第１の所定長であり、
当該印刷用紙においてフィード方向の終端部分に設けられている余白領域のフィード方向の長さは前記第１の所定長以下である、１．乃至４．いずれか一つに記載の印刷用紙。
６．  前記秘密情報は、プライバシー情報又は個人情報である、５．に記載の印刷用紙。
７．  交通違反に関する情報を入力する入力欄を表示する第１表示制御手段と、
前記入力欄に対する入力操作を受け付ける第１操作受付手段と、
運転免許証に設けられた記憶媒体に記憶されている情報を前記運転免許証から読み取る読取手段と、を有し、
前記第１表示制御手段は、前記読取手段によって読み取られた情報を前記入力欄に表示する情報処理装置。
８．  当該情報処理装置の位置情報を取得する位置情報取得手段を有し、
前記第１表示制御手段は、前記取得した位置情報に対応する住所を前記入力欄に表示する７．に記載の情報処理装置。
９．  幅が同一で種類が異なる複数の種類の印刷用紙のいずれか１つを印字先にできるプリンタに情報を印刷させる印刷制御手段と、
前記交通違反に関する情報の印刷を指示する操作を受け付ける第２操作受付手段と、を有し、
前記交通違反に関する情報の印刷先とすべき印刷用紙の種類は、その他の情報の印刷先とすべき印刷用紙の種類と異なっており、
前記第２操作受付手段が操作を受け付けた後、前記印刷制御手段を実行する前に、前記交通違反に関する情報の印刷先とすべき印刷用紙の種類を表示する第２表示制御手段を有する７．又は８．に記載の情報処理装置。
１０．  コンピュータによって実行される制御方法であって、
交通違反に関する情報を入力する入力欄を表示する第１表示制御ステップと、
前記入力欄に対する入力操作を受け付ける第１操作受付ステップと、
運転免許証に設けられた記憶媒体に記憶されている情報を前記運転免許証から読み取る読取ステップと、を有し、
前記第１表示制御ステップは、前記読取ステップによって読み取られた情報を前記入力欄に表示する制御方法。
１１．  前記コンピュータの位置情報を取得する位置情報取得ステップを有し、
前記第１表示制御ステップは、前記取得した位置情報に対応する住所を前記入力欄に表示する１０．に記載の制御方法。
１２．  幅が同一で種類が異なる複数の種類の印刷用紙のいずれか１つを印字先にできるプリンタに情報を印刷させる印刷制御ステップと、
前記交通違反に関する情報の印刷を指示する操作を受け付ける第２操作受付ステップと、を有し、
前記交通違反に関する情報の印刷先とすべき印刷用紙の種類は、その他の情報の印刷先とすべき印刷用紙の種類と異なっており、
前記第２操作受付ステップが操作を受け付けた後、前記印刷制御ステップを実行する前に、前記交通違反に関する情報の印刷先とすべき印刷用紙の種類を表示する第２表示制御ステップを有する１０．又は１１．に記載の制御方法。
１３．  １０．乃至１２．いずれか一つに記載の制御方法における各ステップをコンピュータに実行させるプログラム。
【符号の説明】
【００９５】
１０  印刷用紙
１２  印刷領域
１４  第１部分印刷領域
１６  第２部分印刷領域
１８  第１ミシン目
２０  第２ミシン目
２２  第３印刷領域
２４  第３ミシン目
２６  余白領域
２７  情報
２８  秘密情報領域
３０  開口
３２  連結部
４０  違反情報入力画面
４２  入力欄群
４４  入力欄
５０  確認画面
５２  確認メッセージ
５４  イメージ図
５６  ＯＫボタン
６０  印刷用紙
６１  印刷領域
６４  ミシン目
６６  ミシン目
１００  計算機
１０２  バス
１０４  プロセッサ
１０６  メモリ
１０８  ストレージ
１１０  入出力インタフェース
１３０  タッチパネル
１４０  リーダ
１５０  プリンタ
１５２  プリンタヘッド
１５４  ヘッド制御部
２０００  情報処理装置
２０２０  第１表示制御部
２０４０  第１操作受付部
２０６０  読取部
２０８０  位置情報取得部
２１００  印刷制御部
２１２０  第２操作受付部
２１４０  第２表示制御部
【図１】
0006593872.tif 000002
【図２】
0006593872.tif 000003
【図３】
0006593872.tif 000004
【図４】
0006593872.tif 000005
【図５】
0006593872.tif 000006
【図６】
0006593872.tif 000007
【図７】
0006593872.tif 000008
【図８】
0006593872.tif 000009
【図９】
0006593872.tif 000010
【図１０】
0006593872.tif 000011
【図１１】
0006593872.tif 000012
【図１２】
0006593872.tif 000013
【図１３】
0006593872.tif 000014
【図１４】
0006593872.tif 000015
【図１５】
0006593872.tif 000016
【図１６】
0006593872.tif 000017
【図１７】
0006593872.tif 000018
【図１８】
0006593872.tif 000019
【図１９】
0006593872.tif 000020
【図２０】
0006593872.tif 000021